(57)【要約】【課題】モニタが調査専用端末を必要とせず、移動履歴情報の入力から活用可能な情報への加工までを自動化した移動履歴調査システムを提供する。【解決手段】第２のサーバ７は、インターネットを介して移動履歴調査のモニタを募集する。応募したモニタは、プローブデータ送信手段５３の機能を実現するプログラムを携帯電話３にインストールし、移動履歴調査に参加する。そして、第１のサーバ５は、携帯電話３から送信されたプローブデータを基に、プローブデータのプロット１０１とＤＲＭデータのリンク１０３との距離、及びプロット１０１における移動方向１０４を用いて移動経路１０７を特定することで旅行時間データに変換し、旅行時間データを基にした移動履歴情報を提供する。また、移動履歴情報から調査内容に応じた交通情報、移動パターン情報を生成し、提供する。【選択図】図１
2008299371.tif 000002
【特許請求の範囲】
【請求項１】
サーバと携帯端末とがネットワークを介して接続され、前記携帯端末を保持するモニタの移動履歴情報を収集し、活用する移動履歴調査システムであって、
前記携帯端末は、
位置情報を測定する位置測定手段と、
時刻情報を測定する時刻測定手段と、
前記モニタを特定するユーザＩＤと、前記位置情報と、前記時刻情報とを含むプローブデータを第１のサーバに送信するプローブデータ送信手段と、
を具備し、
第１のサーバは、
送信された前記プローブデータから移動経路を特定して旅行時間データに変換するプローブデータ変換手段と、
前記旅行時間データを基に移動履歴情報を提供する移動履歴情報提供手段と、
を具備することを特徴とする移動履歴調査システム。
【請求項２】
第２のサーバは、
インターネットを介して前記モニタを募集するモニタ募集手段、
を更に具備することを特徴とする請求項１に記載の移動履歴調査システム。
【請求項３】
前記第１のサーバは、
前記旅行時間データを基に交通情報を生成する交通情報生成手段、
を更に具備することを特徴とする請求項１または請求項２に記載の移動履歴調査システム。
【請求項４】
前記第１のサーバは、
前記旅行時間データを基に移動パターン情報を生成する移動パターン情報生成手段、
を更に具備することを特徴とする請求項１から請求項３のいずれかに記載の移動履歴調査システム。
【請求項５】
前記交通情報を提供する交通情報提供手段、
を更に具備することを特徴とする請求項３に記載の移動履歴調査システム。
【請求項６】
前記移動パターン情報を提供する移動パターン情報提供手段、
を更に具備することを特徴とする請求項４に記載の移動履歴調査システム。
【請求項７】
前記プローブデータ変換手段は、前記プローブデータのプロットとデジタル道路地図データのリンクとの距離、及び前記プロットにおける移動方向を用いて移動経路を特定するものであることを特徴とする請求項１に記載の移動履歴調査システム。
【請求項８】
前記移動履歴情報提供手段は、地図ベースの掲示板を表示するウェブページを、インターネットを介して送信可能とするものであることを特徴とする請求項１に記載の移動履歴調査システム。
【請求項９】
前記交通情報生成手段は、移動時間帯を考慮した最短経路情報を生成するものであることを特徴とする請求項３に記載の移動履歴調査システム。
【請求項１０】
前記移動パターン情報生成手段は、特定のノードを通過した前記モニタの数を集計するものであることを特徴とする請求項４に記載の移動履歴調査システム。
【請求項１１】
携帯端末を保持するモニタの移動履歴情報を収集し、活用する移動履歴調査システムに用いられ、ネットワークを介して前記携帯端末と接続され、前記携帯端末の保持者を特定するユーザＩＤと、前記位置情報と、前記時刻情報とを含むプローブデータを前記携帯端末から送信されるサーバであって、
送信された前記プローブデータを旅行時間データに変換するプローブデータ変換手段と、
前記旅行時間データを基に移動履歴情報を提供する移動履歴情報提供手段と、
を具備することを特徴とするサーバ。
【請求項１２】
前記旅行時間データを基に交通情報を生成する交通情報生成手段、
を更に具備することを特徴とする請求項１１に記載のサーバ。
【請求項１３】
前記旅行時間データを基に移動パターン情報を生成する移動パターン情報生成手段、
を更に具備することを特徴とする請求項１１または請求項１２に記載のサーバ。
【請求項１４】
前記交通情報を提供する交通情報提供手段、
を更に具備することを特徴とする請求項１２に記載のサーバ。
【請求項１５】
前記移動パターン情報を提供する移動パターン情報提供手段、
を更に具備することを特徴とする請求項１３に記載のサーバ。  
【請求項１６】
前記プローブデータ変換手段は、前記プローブデータのプロットとデジタル道路地図データのリンクとの距離、及び前記プロットにおける移動方向を用いて移動経路を特定するものであることを特徴とする請求項１１に記載のサーバ。
【請求項１７】
前記移動履歴情報提供手段は、地図ベースの掲示板を表示するウェブページを、インターネットを介して送信可能とするものであることを特徴とする請求項１１に記載のサーバ。
【請求項１８】
前記交通情報生成手段は、移動時間帯を考慮した最短経路情報を生成するものであることを特徴とする請求項１２に記載のサーバ。
【請求項１９】
前記移動パターン情報生成手段は、特定のノードを通過した前記モニタの数を集計するものであることを特徴とする請求項１３に記載のサーバ。
【請求項２０】
携帯端末を保持するモニタの移動履歴情報を収集し、活用する移動履歴調査システムに用いられ、ネットワークを介してサーバと接続される携帯端末であって、
位置情報を測定する位置測定手段と、
時刻情報を測定する時刻測定手段と、
前記モニタを特定するユーザＩＤと、前記位置情報と、前記時刻情報とを含むプローブデータを前記サーバに送信するプローブデータ送信手段と、
を具備し、
前記プローブデータの送信方法及び送信内容は、設定ファイルに従って決定されるものであることを特徴とする携帯端末。
【請求項２１】
前記サーバからの命令に従って、前記プローブデータの送信方法及び送信内容を変更することを特徴とする請求項２０に記載の携帯端末。
【請求項２２】
コンピュータを請求項１１から請求項１９までのいずれかに記載のサーバとして機能させるプログラム。
【請求項２３】
携帯端末を請求項２０または請求項２１に記載の携帯端末として機能させるプログラム。
【発明の詳細な説明】
【技術分野】
【０００１】
本発明は、携帯端末を用いた移動履歴調査システム、サーバ及びそのプログラムに関するものである。
【背景技術】
【０００２】
国、地方公共団体又は民間企業等においては、交通調査、観光調査又はマーケティング調査等様々な調査が行われている。こうした調査において、近年、正確な地図情報とマッチングした個人の移動履歴情報を収集し、活用したいというニーズが高まっている。従来は、交通調査であれば、調査専用端末を車両に搭載することで移動履歴情報を収集していた。また、観光調査であれば、事後的にアンケートによって移動履歴情報を収集していた。そして、いずれの場合も、活用可能な情報への加工は、別作業として行われていた。
尚、本発明者らは、特許文献１に示すように、携帯端末を用いて携帯端末保持者の位置情報、時刻情報を効率的に収集できるシステムを発明している。
【特許文献１】特開２００７−１８３１４号公報
【発明の開示】
【発明が解決しようとする課題】
【０００３】
しかしながら、正確かつ大量の移動履歴情報を収集し、活用するためには、移動履歴情報の提供者（以下、「モニタ」という。）が調査専用端末を必要とせず、移動履歴情報の入力から活用可能な情報への加工までを自動化するシステムが不可欠である。
【０００４】
本発明は、前述した問題点に鑑みてなされたもので、その目的はモニタが調査専用端末を必要とせず、移動履歴情報の入力から活用可能な情報への加工までを自動化した移動履歴調査システムを提供することである。
【課題を解決するための手段】
【０００５】
前述した目的を達成するために第１の発明は、サーバと携帯端末とがネットワークを介して接続され、前記携帯端末を保持するモニタの移動履歴情報を収集し、活用する移動履歴調査システムであって、前記携帯端末は、位置情報を測定する位置測定手段と、時刻情報を測定する時刻測定手段と、前記モニタを特定するユーザＩＤと、前記位置情報と、前記時刻情報とを含むプローブデータを第１のサーバに送信するプローブデータ送信手段と、を具備し、第１のサーバは、送信された前記プローブデータから移動経路を特定して旅行時間データに変換するプローブデータ変換手段と、前記旅行時間データを基に移動履歴情報を提供する移動履歴情報提供手段と、を具備することを特徴とする移動履歴調査システムである。
【０００６】
位置情報を測定する位置測定手段とは、携帯端末の位置する緯度及び経度を測定する手段であり、例えば、ＧＰＳ（Ｇｌｏｂａｌ  Ｐｏｓｉｔｉｏｎｉｎｇ  Ｓｙｓｔｅｍ）機能である。時刻情報を測定する時刻測定手段とは、携帯端末に内蔵された時計機能である。
【０００７】
第２のサーバは、インターネットを介して前記モニタを募集するモニタ募集手段、を更に具備することが望ましい。
また、前記第１のサーバは、前記旅行時間データを基に交通情報を生成する交通情報生成手段、を更に具備することが望ましい。
また、前記第１のサーバは、前記旅行時間データを基に移動パターン情報を生成する移動パターン情報生成手段、を更に具備することが望ましい。
また、前記第１のサーバは、前記交通情報を提供する交通情報提供手段、を更に具備することが望ましい。
また、前記第１のサーバは、前記移動パターン情報を提供する移動パターン情報提供手段、を更に具備することが望ましい。
【０００８】
前記プローブデータ変換手段は、例えば、前記プローブデータのプロットとデジタル道路地図データのリンクとの距離、及び前記プロットにおける移動方向を用いて移動経路を特定するものである。デジタル道路地図（ＤＲＭ：Ｄｉｇｉｔａｌ  Ｒｏａｄ  Ｍａｐ）データは、ノードとリンクとの組み合わせによって表現される。ノードは、交差点その他表現上の結節点である。リンクは、ノードとノードとの間の道路区間である。
また、前記移動履歴情報提供手段は、例えば、地図ベースの掲示板を表示するウェブページを、インターネットを介して送信可能とするものである。
また、前記交通情報生成手段は、例えば、移動時間帯を考慮した最短経路情報を生成するものである。
また、前記移動パターン情報生成手段は、例えば、特定のノードを通過した前記モニタの数を集計するものである。
【０００９】
第２の発明は、携帯端末を保持するモニタの移動履歴情報を収集し、活用する移動履歴調査システムに用いられ、ネットワークを介して前記携帯端末と接続され、前記携帯端末の保持者を特定するユーザＩＤと、前記位置情報と、前記時刻情報とを含むプローブデータを前記携帯端末から送信されるサーバであって、送信された前記プローブデータを旅行時間データに変換するプローブデータ変換手段と、前記旅行時間データを基に移動履歴情報を提供する移動履歴情報提供手段と、を具備することを特徴とするサーバである。
【００１０】
第３の発明は、携帯端末を保持するモニタの移動履歴情報を収集し、活用する移動履歴調査システムに用いられ、ネットワークを介してサーバと接続される携帯端末であって、位置情報を測定する位置測定手段と、時刻情報を測定する時刻測定手段と、前記モニタを特定するユーザＩＤと、前記位置情報と、前記時刻情報とを含むプローブデータを前記サーバに送信するプローブデータ送信手段と、を具備し、前記プローブデータの送信方法及び送信内容は、設定ファイルに従って決定されるものであることを特徴とする携帯端末である。
【００１１】
第４の発明は、コンピュータを請求項１１から請求項１９までのいずれかに記載のサーバとして機能させるプログラムである。
【００１２】
第５の発明は、前記モニタが保持する携帯端末を請求項２０または請求項２１に記載の携帯端末として機能させるプログラムである。
【発明の効果】
【００１３】
本発明により、モニタが調査専用端末を必要とせず、移動履歴情報の入力から活用可能な情報への加工までを自動化した移動履歴調査システムを提供することができる。
【発明を実施するための最良の形態】
【００１４】
以下図面に基づいて、本発明の実施形態を詳細に説明する。
【００１５】
図１は移動履歴調査システム１の概略図である。図１に示すように、移動履歴調査システム１は、携帯電話３、第１のサーバ５、第２のサーバ７から構成され、必要に応じて基地局９、ネットワーク１１を介して互いに接続される。尚、移動履歴調査とは、個人の移動履歴情報を収集し、活用する全ての調査を含むものとする。
【００１６】
携帯端末としての携帯電話３は、位置測定手段及び時刻測定手段を有する。携帯電話３は、モニタを特定するユーザＩＤ、位置情報、時刻情報等を含むデータを第１のサーバ５に送信する。
【００１７】
第１のサーバ５は、移動履歴調査を請け負う者が運用する。第１のサーバ５は、携帯電話３から送信されるデータを保持し、データを加工し、調査依頼者が必要な情報を提供する。
【００１８】
第２のサーバ７は、移動履歴調査のモニタを募集する者が運用する。第２のサーバ７は、コンピュータ又は携帯電話３等から閲覧可能なウェブページを提供する。ウェブページは、モニタの登録情報を入力できることが望ましい。
移動履歴調査を請け負う者は、調査依頼者からの依頼に応じて、モニタを募集する者に、モニタの募集を依頼する。但し、移動履歴調査を請け負う者とモニタを募集する者とが、同一の主体であっても構わない。
【００１９】
基地局９は、携帯電話３との間で無線通信を行い、ネットワーク１１を介して他の携帯電話３、コンピュータ等との通話・通信を中継する。ネットワーク１１は、パケット通信網、ＬＡＮ、インターネット等である。
【００２０】
次に、図２、図３を参照し、各種機器のハードウェア構成を説明する。
【００２１】
図２は、携帯電話３のハードウェア構成図である。
携帯電話３は、制御部２１、通信部２２、記憶部２３、表示部２４、操作部２５、カメラ２６等が、バス２７を介して接続されて構成される。
【００２２】
制御部２１は、ＣＰＵ（Ｃｅｎｔｒａｌ  Ｐｒｏｃｅｓｓｉｎｇ  Ｕｎｉｔ）等を有する。ＣＰＵは、記憶部２３、記憶媒体等に格納されるプログラムに従って、バス２７を介して接続された各装置を駆動制御する。
【００２３】
通信部２２は、アンテナ等を有する。通信部２２は、基地局９、ネットワーク１１を介して行われる他の携帯電話やコンピュータ等との通信を制御する。
【００２４】
記憶部２３は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を有する。記憶部２３は、各装置を駆動制御する制御プログラム、各処理に必要なデータ等を保持する。
【００２５】
表示部２４は、液晶パネル等のディスプレイ装置を有する。表示部２４は、ディスプレイ装置と連携して携帯電話３の画像等表示機能を実現する。
【００２６】
操作部２５は、操作キー、操作ボタン等を有する。操作部２５は、操作キー、操作ボタン等を押下されることにより、データの入力を行う。
【００２７】
カメラ２６は、撮影レンズ等を有する。カメラ２６は、任意の対象物を撮影し、画像データを制御部２１に送信する。
【００２８】
バス２７は、各装置間の制御信号、データ信号等の授受を媒介する経路である。
【００２９】
図３は、第１のサーバ５のハードウェア構成図である。尚、第２のサーバ７も同様の構成である。
第１のサーバ５は、制御部３１、記憶部３２、メディア入出力部３３、通信制御部３４、入力部３５、表示部３６、周辺機器Ｉ／Ｆ（インタフェース）部３７が、バス３８を介して接続されて構成される。
【００３０】
制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部３２、ＲＯＭ、記憶媒体等に格納されるプログラムをＲＡＭのワークメモリ領域に呼び出して実行し、バス３８を介して接続された各装置を駆動制御する。
ＲＯＭは、不揮発性メモリであり、コンピュータのブートプログラムやＢＩＯＳ等のプログラム、データ等を恒久的に保持している。
ＲＡＭは、揮発性メモリであり、記憶部３２、ＲＯＭ、記録媒体等からロードしたプログラム、データ等を一時的に保持するとともに、制御部３１が各種処理を行う為に使用するワークエリアを備える。
【００３１】
記憶部３２は、ＨＤＤ（ハードディスクドライブ）であり、制御部３１が実行するプログラム、プログラム実行に必要なデータ、ＯＳ（オペレーティングシステム）等が格納される。プログラムに関しては、ＯＳ（オペレーティングシステム）に相当する制御プログラムや、後述の処理に相当するアプリケーションプログラムが格納されている。
これらの各プログラムコードは、制御部３１により必要に応じて読み出されてＲＡＭに移され、ＣＰＵに読み出されて各種の手段として実行される。
【００３２】
メディア入出力部３３（ドライブ装置）は、データの入出力を行い、例えば、フロッピー（登録商標）ディスクドライブ、ＣＤドライブ（−ＲＯＭ、−Ｒ、ＲＷ等）、ＤＶＤドライブ（−ＲＯＭ、−Ｒ、−ＲＷ等）、ＭＯドライブ等のメディア入出力装置を有する。
【００３３】
通信制御部３４は、通信制御装置、通信ポート等を有し、第１のサーバ５とネットワーク１１間の通信を媒介する通信インタフェースであり、ネットワーク１１を介して、第１のサーバ５と、他の携帯電話またはコンピュータ等との間の通信制御を行う。
【００３４】
入力部３５は、データの入力を行い、例えば、キーボード、マウス等のポインティングデバイス、テンキー、タッチパネル等の入力装置を有する。
入力部３５を介して、第１のサーバ５に対して、操作指示、動作指示、データ入力等を行うことができる。
【００３５】
表示部３６は、ＣＲＴモニタ、液晶パネル等のディスプレイ装置、ディスプレイ装置と連携してコンピュータのビデオ機能を実現するための論理回路等（ビデオアダプタ等）を有する。
【００３６】
周辺機器Ｉ／Ｆ（インタフェース）部３７は、コンピュータに周辺機器を接続させるためのポートであり、周辺機器Ｉ／Ｆ部３７を介してコンピュータは周辺機器とのデータの送受信を行う。周辺機器Ｉ／Ｆ部３７は、ＵＳＢ、ＩＥＥＥ１３９４、ＲＳ−２３２Ｃ等で構成されており、通常複数の周辺機器Ｉ／Ｆを有する。周辺機器との接続形態は有線、無線を問わない。
【００３７】
バス３８は、各装置間の制御信号、データ信号等の授受を媒介する経路である。
【００３８】
次に、図４から図１７までを参照しながら、各種機器の機能を実現する構成について説明する。
図４は、第２のサーバ７の機能の概要を示すブロック図である。
第２のサーバ７は、モニタ募集手段４１等を具備する。
【００３９】
モニタ募集手段４１は、インターネットを介してモニタを募集する。モニタ募集手段４１は、移動履歴調査の調査内容、モニタの募集要項等が記載されたウェブページを、インターネットを介して送信可能にする。また、モニタに応募する者がモニタ登録を行うウェブページを、インターネットを介して送信可能とするとともに、モニタに応募する者から送信された登録情報を保持する。更に、後述する携帯電話３の機能の一部を実現するプログラムの提供場所が記載されたウェブページを、インターネットを介して送信可能にする。ここで、提供場所とは、プログラムをダウンロードするウェブページである。提供場所の記載方法は、携帯電話３で閲覧可能なウェブページであればウェブ上のハイパーリンクとしても良いし、携帯電話３で閲覧できないウェブページであれば２次元コードに情報を持たせるようにしても良い。後者の場合、モニタ応募者が携帯電話３のカメラ２６で２次元コードを撮影し、提供場所にアクセスする。いずれの方法であっても、プログラムの提供場所は、携帯電話３で直接閲覧可能なウェブページであることが望ましい。
尚、モニタの募集は、例えば、紙媒体を用いて行うことも可能であり、その場合、第２のサーバ７は不要である。
【００４０】
図５は、携帯電話３の機能の概要を示すブロック図である。
携帯電話３は、位置測定手段５１、時刻測定手段５２、プローブデータ送信手段５３等を具備する。
【００４１】
位置測定手段５１は、位置情報を測定する。位置測定手段５１は、例えば、ＧＰＳ（Ｇｌｏｂａｌ  Ｐｏｓｉｔｉｏｎｉｎｇ  Ｓｙｓｔｅｍ）機能である。位置測定手段５１は、人工衛星からの信号を受信し、公知の技術によって位置情報（緯度情報、経度情報）を算出する。
【００４２】
時刻測定手段５２は、時刻情報を測定する。時刻測定手段５２は、携帯電話３に内蔵された時計機能である。
【００４３】
プローブデータ送信手段５３は、モニタを特定するユーザＩＤと、位置情報と、時刻情報とを含むプローブデータを第１のサーバ５に送信する。ここで、プローブデータとは、一般には、プローブカーと呼ばれる車両から送信されるデータであり、例えば、車両位置情報、車両速度情報、ワイパーの動き等の車両挙動情報等を含む。しかし、本発明の実施の形態では、車両から送信されるデータではなく、携帯電話３から送信されるデータであって、位置情報と時刻情報を含むものを指すものとする。尚、プローブデータは、画像データ、文字データ等を更に含むものであっても良い。
【００４４】
プローブデータ送信手段５３は、位置測定手段５１から位置情報を取得し、時刻測定手段５２から時刻情報を取得し、予め定められたユーザＩＤを付加し、プローブデータとして第１のサーバ５に送信する。ここで、プローブデータは、圧縮し、更に一括して送信することが望ましい。例えば、プローブデータ送信手段５３は、時刻情報、位置情報等の数値を６０進変換し、さらに、データの重複を避けるために差数やＮＵＬＬデータを用いてデータを圧縮する。また、例えば、プローブデータ送信手段５３は、所定の時間間隔（例えば、毎秒単位）で測定され、圧縮されたプローブデータを、所定時間（例えば、１分間）が経過するまで携帯電話３の記憶部２３に蓄積し、一括して送信する。これによって、プローブデータの送信時の負荷や所要時間を抑えることができる。
【００４５】
尚、プローブデータ送信手段５３は、携帯電話３が予め具備しているわけではない。従って、モニタとなる者は、プローブデータ送信手段５３の機能を実現するプログラムを携帯電話３にインストールする必要がある。これについては、図４の説明で前述したプログラムの提供場所からダウンロードしてインストールすれば良い。
また、プログラムとともに、プローブデータの送信方法及び送信内容に関する設定ファイルをダウンロードさせることで、調査依頼者がプローブデータの送信方法及び送信内容を決めることができる。すなわち、プローブデータ送信手段５３は、設定ファイルに従ってプローブデータの送信方法及び送信内容を決定する。ここで、送信方法とは、データ測定の時間間隔、データ送信の時間間隔、データ送信の中断・再開等である。また、送信内容とは、ユーザＩＤ、写真の画質、アンケートに関する操作ボタンの定義（例えば、施設の評価アンケートの場合、「１」のボタンが「評価Ａ：とても面白かった」、「２」のボタンが「評価Ｂ：まあまあ面白かった」等を意味すること）等である。また、プローブデータ送信手段５３は、第１のサーバ５からの命令に従って、設定ファイルの内容を更新し、プローブデータの送信方法及び送信内容を変更する。これによって、モニタに負荷をかけずに、調査依頼者が所望の調査結果を得ることができる。
【００４６】
そして、ＧＰＳ機能及び時計機能を有する携帯電話３は、一般に広く普及しているものであるから、モニタとなる者は、普段利用している携帯電話３を用いて移動履歴調査に参加することができる。従って、移動履歴調査を行うための調査専用端末は不要である。更に、携帯電話３は常に持ち歩くものであるから、例えば、自動車に乗車していたモニタが自動車を降車した後も、移動履歴調査を行うことができる。
【００４７】
図６は、第１のサーバ５の機能の概要を示すブロック図である。
第１のサーバ５は、プローブデータ変換手段６１、移動履歴情報提供手段６２、交通情報生成手段６３、交通情報提供手段６４、移動パターン情報生成手段６５、移動パターン情報提供手段６６、プローブデータＤＢ（データベース）７１、ＤＲＭ（Ｄｉｇｉｔａｌ  Ｒｏａｄ  Ｍａｐ：デジタル道路地図）データＤＢ７２、旅行時間データＤＢ７３等を具備する。
【００４８】
図７は、道路地図上にプローブデータを配置した図である。
プロット１０１は、プローブデータに含まれる位置情報である。図７に示すように、プロット１０１は、ＧＰＳの測定誤差等によってバラつきがある。しかしながら、こうしたバラつきを考慮して各モニタの移動経路を特定しなければ、各種の調査に活用できない。本発明の実施の形態では、各モニタの移動経路の特定は、プローブデータ変換手段６１が行う。
【００４９】
プローブデータ変換手段６１は、携帯電話３から送信されたプローブデータから移動経路を特定して旅行時間データに変換する。プローブデータ変換手段６１は、携帯電話３から送信されたプローブデータを蓄積するプローブデータＤＢ７１、ＤＲＭデータを保持するＤＲＭデータＤＢ７２を参照し、プローブデータをＤＲＭデータにマッチングすることで移動経路を特定し、旅行時間データＤＢ７３に旅行時間データを書き込む。
【００５０】
図８は、ＤＲＭデータを示す図である。
図８に示すように、ＤＲＭデータは、ノード１０２とリンク１０３との組み合わせによって表現される。ノード１０２は、交差点その他表現上の結節点である。リンク１０３は、ノード１０２とノード１０２との間の道路区間である。各ノード１０２は、一意に識別するノード番号が付与される。同様に、各リンク１０３は、一意に識別するリンク番号が付与される。尚、ＤＲＭデータは、一般に市販されているものである。
本発明の実施の形態では、各プロット１０１とリンク１０３との距離、及び各プロット１０１における移動方向を用いて移動経路を特定する。
【００５１】
図９は、各プロット１０１における移動方向１０４を示す図である。
図９に示すように、プローブデータ変換手段６１は、プローブデータに含まれる時刻情報を基に各プロット１０１における後続のプロット１０１を特定し、各プロット１０１の座標から後続のプロット１０１の座標を結ぶ直線を移動方向１０４として決定していく。
【００５２】
図１０は、各プロット１０１からの最寄りリンクに対する垂線１０５を示す図である。
プローブデータ変換手段６１は、各プロット１０１からの一定の距離内に存在するリンク１０３を抽出する。複数のリンク１０３が抽出された場合、算出済の移動方向１０４に最も近い方向を持つリンク１０３を最寄りリンクとして決定する。そして、図１０に示すように、プロット１０１から最寄りリンクに対する垂線１０５を下ろし、リンク上のプロット１０６を決定していく。
【００５３】
図１１は、移動経路１０７を示す図である。
図１１に示すように、プローブデータ変換手段６１は、リンク上のプロット１０６から、移動経路１０７を特定する。その際、各リンク１０３における進行方向１０８も特定する。そして、リンク１０３ごとに、旅行時間データを算出し、旅行時間データＤＢ７３に書き込む。旅行時間データは、ユーザＩＤ、リンク番号、リンク進入時刻、リンク退出時刻、リンク所要時間、リンク内移動速度等が含まれる。また、プローブデータ変換手段６１は、旅行時間データを更に加工して、特定した移動経路ごとに、ユーザＩＤ、出発地点、出発時刻、到着地点、到着時刻、移動経路（例えば、時系列順に整列したノード番号またはリンク番号）、移動時間等を含む移動履歴情報を旅行時間データＤＢ７３に書き込んでも良い。尚、移動経路を特定する際は、同一モニタであっても、データの取得間隔が一定時間以上開いている場合（例えば、休憩を挟んで移動している場合等）は、別の移動経路として扱う。
以下の説明では、旅行時間データＤＢ７３に移動履歴情報が書き込まれているものとするが、旅行時間データＤＢ７３を参照する度に旅行時間データを加工して移動履歴情報を得るようにしても良い。
【００５４】
移動履歴情報提供手段６２は、旅行時間データＤＢ７３を参照し、旅行時間データを基に移動履歴情報を提供する。本発明の実施の形態では、移動履歴情報は、例えば、地図ベースの掲示板によって提供する。具体的には、移動履歴情報提供手段６２は、地図ベースの掲示板を表示するウェブページを、インターネットを介して送信可能とする。
【００５５】
図１２は、地図ベースの掲示板の１例を示す図である。
図１２に示すように、地図ベースの掲示板は、地図を表示する領域２１４と掲示板を表示する領域２１５とで構成される。図１２では、地図を表示する領域２１４にポイント２１２とメッセージ２１３が表示されている。ポイント２１２、メッセージ２１３は、移動中のモニタが保持する携帯電話３から送信されたもの、又はウェブページから追加されたものである。携帯電話３は、ポイント２１２の位置情報、メッセージ２１３の文字情報と共に、画像情報の送信も可能である。また、調査主体から事前に指示されたポイント２１２でアンケートに答えて、回答結果を送信するようにしても良い。
【００５６】
２０１から２０５は、地図を操作するツールボックスである。２０１は、地図の縮尺を変更するツールである。２０２は、地図を左右上下に移動するツールである。２０３は、初期設定の場所と縮尺に戻るツールである。２０４は、過去の移動履歴情報を表示するツールである。２０５は、現在移動中のモニタの移動履歴情報を表示するツールである。尚、他にも、地図上のメッセージ２１３を追加・移動・編集・削除するツール（図示しない）等がある。
２０６は、ログインしているユーザ名である。
２０７から２１１は、掲示板を操作するパネル群であり、図１２では、選択されたパネルである２１１が開かれた状態である。２０７のアイコン種別パネルは、地図上のポイント２１２として表示できるアイコンの凡例が表示されて、アイコンの追加・編集・削除等が可能である。２０８のメッセージパネルは、一般的な掲示板機能を提供する。２０９のマイポイントパネルは、ログインしているユーザが登録したポイント２１２を表示する。表示されたポイント２１２を１つ選択すると、地図を表示する領域２１４と連動し、そのポイント２１２を中心とした場所に移動する。２１０の範囲内のポイントパネルは、現在地図に表示されているポイント２１２を表示する。２１１の最近のメッセージパネルは、所定の数の最新のメッセージ２１３を表示する。１つのメッセージ２１３を選択すると、地図を表示する領域２１４と連動し、メッセージ２１３が追加されたポイント２１２を中心とした場所に移動する。
【００５７】
図１３は、移動履歴情報の表示の１例を示す図である。
図１２に示された過去の移動履歴情報を表示するツール２０４を選択すると、図１３に示すように、地図を表示する領域２１４に移動履歴情報３０１が表示される。移動履歴情報３０１は、始端ポイント３０２から終端ポイント３０３までの旅行時間データの集合である。終端ポイント３０３には、移動履歴情報３０１の詳細情報メッセージ３０４が付加される。詳細情報メッセージ３０４には、ユーザ名、日時、表示されるデータの時間制限、メモ等が含まれる。
同様に、図１２に示された現在移動中のモニタの移動履歴情報を表示するツール２０５を選択すると、始端ポイント３０２から現在ポイントまでの移動履歴情報３０１が表示される。表示されるデータは、例えば、１分ごとに更新され、更新のタイミングで最新データ取得位置を中心とした場所に移動する。
このように、移動履歴情報提供手段６２は、地図ベースの掲示板によって移動履歴情報を提供することで、地図と連動した文字情報、画像情報も合わせて提供することができる。特に、調査主体がアンケートを実施した場合、地図と連動してアンケート結果を確認することができる。更に、移動履歴情報をリアルタイムに確認することもできる。
【００５８】
交通情報生成手段６３は、旅行時間データを基に交通情報を生成する。ここで、交通情報とは、旅行時間データを加工して得られた情報によって判定される渋滞情報または最短経路情報等である。以下では、特に、移動時間帯を考慮した最短経路情報の生成について説明する。
【００５９】
図１４は、最短経路情報の検索画面の１例を示す図である。
図１４に示すように、最短経路情報の検索画面４０１は、日付の検索条件を入力する領域４０２、時間の検索条件を入力する領域４０３、所要時間の検索条件を入力する領域４０４、検索数の検索条件を入力する領域４０５、ユーザＩＤの検索条件を入力する領域４０６、検索ボタン４０７、閉じるボタン４０８等を有する。
【００６０】
日付の検索条件を入力する領域４０２では、検索対象とする移動履歴情報の日付を入力する。具体的には、４０２ａと４０２ａに検索する範囲を入力し、４０２ｃに検索する曜日を入力する。図１４に示す例では、検索する範囲は２００７年０１月０１日から２００７年０１月０３日までと入力し、検索する曜日は毎日と入力している。
時間の検索条件を入力する領域４０３では、検索対象とする移動履歴情報の時間帯を入力する。具体的には、４０３ａと４０３ｂに検索する時間帯を入力する。図１４に示す例では、検索する範囲は０７時００分から３時間の間と入力している。
所要時間の検索条件を入力する領域４０４では、検索対象とする移動履歴情報の所要時間を入力する。具体的には、４０４ａに検索する所要時間を入力する。図１４に示す例では、検索する所要時間は３０分以内と入力している。
検索数の検索条件を入力する領域４０５では、検索対象とする移動履歴情報の検索数を入力する。具体的には、４０５ａに検索する検索数を入力する。図１４に示す例では、検索する検索数は３人までと入力している。
ユーザＩＤの検索条件を入力する領域４０６では、検索対象とする移動履歴情報のユーザＩＤを入力する。具体的には、４０６ａに検索対象とするユーザＩＤを入力した後、４０６ｃのボタンを押下し、４０６ｅに反映させる。または、４０６ｂに表示されているユーザＩＤから検索対象とするユーザＩＤを選択した後、４０６ｃのボタンを押下し、４０６ｅに反映させる。一方、４０６ｅに表示されているユーザＩＤを検索対象から外すためには、４０６ｄを押下する。図１４に示す例では、検索するユーザＩＤを入力しておらず、ユーザＩＤを限定しない検索条件となる。
【００６１】
検索ボタン４０７を押下すると、地図上において、検索対象とする移動履歴情報の始端ポイントと終端ポイントの指定を促すメッセージが表示される。そして、始端ポイントと終端ポイントを指定すると、入力された検索条件に基づいて検索が開始される。
閉じるボタン４０８を押下すると、最短経路情報の検索画面４０１を閉じる。
【００６２】
交通情報生成手段６３は、入力された検索条件に基づいて旅行時間データＤＢ７３を検索し、検索条件に合致した移動履歴情報を抽出し、移動時間の短い順に整列した最短経路情報を生成する。
従来の最短経路検索では、移動時間帯ごとに異なる交通状況を考慮せず、例えば、リンク距離とリンク内法定速度から算出したリンク所要時間の積み上げによって、最短所要時間の移動経路を検索していた。一方、本実施の形態による最短経路検索では、過去の移動履歴を蓄積した旅行時間データＤＢ７３から、指定された移動時間帯に合致する移動履歴情報を抽出する。これによって、過去の実績に基づいて、移動時間帯ごとに異なる交通状況を考慮した最短経路情報を生成することができる。また、ユーザＩＤを検索条件に加えた検索も有効である。例えば、毎日の通勤履歴を蓄積し、自らの移動履歴情報だけを指定して検索を行えば、曜日別の最適な出発時間と移動経路を割り出すことができる。また、例えば、タクシーの運転手の移動履歴情報だけを指定して検索を行えば、運転熟練者の選択する最適な移動経路を知ることもできる。
【００６３】
交通情報提供手段６４は、交通情報生成手段６３によって生成された交通情報を提供する。以下では、特に、図１４で示した例によって生成された交通情報の提供について説明する。
【００６４】
図１５は、最短経路情報の検索結果表示画面の１例を示す図である。
図１５に示すように、最短経路情報の検索結果表示画面５０１は、検索条件を表示する領域５０２、最短経路情報を表示する領域５０３、全選択ボタン５０４、全解除ボタン５０５、再検索ボタン５０６、表示ボタン５０７、終了ボタン５０８等を有する。
【００６５】
検索条件を表示する領域５０２は、最短経路情報の検索画面４０１で入力された検索条件を表示する。図１５に示す例では、図１４で示した検索条件を表示している。
最短経路情報を表示する領域５０３は、交通情報生成手段６３によって生成された交通情報を表示する。具体的には、移動時間の短い順に整列した最短経路情報のユーザＩＤ５０３ｂ、出発時間５０３ｄ、到着時間５０３ｅ、移動時間５０３ｆを表示する。また、５０３ａは、選択しているかどうかを表示するチェックボックスであり、ボタンと連動して処理を行う。図１５に示す例では、ユーザＩＤ５０３ｂが「ｕｓｅｒ１」と「ｕｓｅｒ２」の交通情報が選択されている。カラー５０３ｃは、地図上に移動経路を表示する際の表示色である。尚、図１５に示す例では、色の違いを模様の違いで表現している。
全選択ボタン５０４を押下すると、表示されている全ての交通情報を選択する。
全解除ボタン５０５を押下すると、表示されている全ての交通情報の選択を解除する。
再検索ボタン５０６を押下すると、再び検索を行う。
表示ボタン５０７を押下すると、選択されている交通情報について、地図上に移動経路を表示する。
終了ボタン５０８を押下すると、最短経路情報の検索結果表示画面５０１を閉じる。
【００６６】
図１６は、地図上に移動経路を表示した画面の１例を示す図である。
図１６に示すように、地図上に移動経路を表示した画面５１１には、検索対象とした移動履歴情報の始端ポイントを表すシンボル５１２と終端ポイントを表すシンボル５１３とが表示される。また、図１５に示した検索結果表示画面５０１の表示ボタン５０７を押下すると、選択されているユーザＩＤ５０３ｂが「ｕｓｅｒ１」、「ｕｓｅｒ２」の移動経路５１４、５１５が表示される。
【００６７】
このように、交通情報提供手段６４は、移動時間の短い順に整列した最短経路情報を表示し、更に地図上に移動経路を表示する。これによって、地図上で移動経路を比較しながら、最短経路を確認することができる。
【００６８】
移動パターン情報生成手段６５は、旅行時間データを基に移動パターン情報を生成する。移動パターン情報とは、例えば、観光地調査においては、観光客がどのような観光名所を訪問し、どのような観光ルートによって観光するか等を分析した情報である。この場合、観光客にモニタとして参加してもらい、観光をしている間の移動履歴情報を収集する。
分析内容は、例えば、観光名所ごとの訪問数である。この場合、移動パターン情報生成手段６５は、例えば、観光名所の所在地に位置するノードを特定し、旅行時間データＤＢ７３を参照して、特定したノードを通過したモニタの数を集計する。
また、他の分析内容は、例えば、観光ルートごとのモニタ数である。観光地が周回コースのような場合、時計回りで観光する観光客が多いのか、または反時計周りで観光する観光客が多いのかといったことを分析することができる。この場合、移動パターン情報生成手段６５は、例えば、周回コース上に位置する２つのノードを特定し、旅行時間データＤＢ７３を参照して、特定した２つのノードを通過したモニタを抽出する。更に、特定した２つのノードのどちらを先に通過したかを判定し、観光ルートごとのモニタの数を集計する。
従来の観光地調査では、観光客に対して事後的にアンケートを行うことで前述のような分析を行っていたが、正確性に欠けていた。一方、本実施の形態では、観光客の記憶に頼ることなく、旅行時間データＤＢ７３を参照することで各種の分析を行う。これによって、正確な分析結果を得ることができる。
【００６９】
移動パターン情報提供手段６６は、移動パターン情報生成手段６５によって生成された移動パターン情報を提供する。以下では、特に、観光地調査における分析内容の提供について説明する。
【００７０】
図１７は、移動パターン情報の提供画面の１例を示す図である。
図１７に示す例では、観光客は駅６０１を出発地点とし、博物館６０２、展望台６０３、神社６０４等を観光する。また、観光客は、駅６０１から博物館６０２に向かう観光ルートＡ、または駅６０１から神社６０４に向かう観光ルートＢのいずれかによって観光する。
移動パターン情報提供手段６６は、移動パターン情報を地図上に表示して提供する。図１７に示す例では、移動パターン情報は、博物館６０２の訪問数、展望台６０３の訪問数、神社６０４の訪問数、観光ルートＡによって観光した観光客数、観光ルートＢによって観光した観光客数である。
【００７１】
このように、移動パターン情報提供手段６６は、地図上に移動パターン情報を表示する。これによって、地図上で移動パターン情報を確認することができる。
【００７２】
本実施の形態では、第１のサーバ５が図６に示す全ての機能について具備するとしたが、図６に示す機能の一部を具備する複数のサーバを用いて移動履歴システム１を構成することもできる。
【００７３】
以上説明したように、本発明の実施の形態によれば、第２のサーバ７は、インターネットを介して移動履歴調査のモニタを募集する。応募したモニタは、プローブデータ送信手段５３の機能を実現するプログラムを携帯電話３にインストールし、移動履歴調査に参加する。そして、第１のサーバ５は、携帯電話３から送信されたプローブデータを基に、プローブデータのプロット１０１とＤＲＭデータのリンク１０３との距離、及びプロット１０１における移動方向１０４を用いて移動経路１０７を特定することで旅行時間データに変換し、旅行時間データを基にした移動履歴情報を提供する。また、移動履歴情報から調査内容に応じた交通情報、移動パターン情報を生成し、提供する。
【００７４】
本発明の実施の形態によって、正確かつ大量の移動履歴情報が必要な調査であっても、費用を大幅に抑え、モニタにも負担をかけずに実施することができ、更に、正確かつ多様な調査結果を迅速に提供することができる。
【００７５】
以上、添付図面を参照しながら、本発明に係る移動履歴調査システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００７６】
【図１】移動履歴調査システム１の概略図
【図２】携帯電話３のハードウェア構成図
【図３】第１のサーバ５のハードウェア構成図
【図４】第２のサーバ７の機能の概要を示すブロック図
【図５】携帯電話３の機能の概要を示すブロック図
【図６】第１のサーバ５の機能の概要を示すブロック図
【図７】道路地図上にプローブデータを配置した図
【図８】ＤＲＭデータを示す図
【図９】各プロット１０１における移動方向１０４を示す図
【図１０】各プロット１０１からの最寄りリンクに対する垂線１０５を示す図
【図１１】移動経路１０７を示す図
【図１２】地図ベースの掲示板の１例を示す図
【図１３】移動履歴情報の表示の１例を示す図
【図１４】最短経路情報の検索画面の１例を示す図
【図１５】最短経路情報の検索結果表示画面の１例を示す図
【図１６】地図上に移動経路を表示した画面の１例を示す図
【図１７】移動パターン情報の提供画面の１例を示す図
【符号の説明】
【００７７】
１………移動履歴調査システム
３………携帯電話
５………第１のサーバ
７………第２のサーバ
９………基地局
１１………ネットワーク
４１………モニタ募集手段
５１………位置測定手段
５２………時刻測定手段
５３………プローブデータ送信手段
６１………プローブデータ変換手段
６２………移動履歴情報提供手段
６３………交通情報生成手段
６４………交通情報提供手段
６５………移動パターン情報生成手段
６６………移動パターン情報提供手段
７１………プローブデータＤＢ
７２………ＤＲＭデータＤＢ
７３………旅行時間データＤＢ
【図１】
2008299371.tif 000003
【図２】
2008299371.tif 000004
【図３】
2008299371.tif 000005
【図４】
2008299371.tif 000006
【図５】
2008299371.tif 000007
【図６】
2008299371.tif 000008
【図７】
2008299371.tif 000009
【図８】
2008299371.tif 000010
【図９】
2008299371.tif 000011
【図１０】
2008299371.tif 000012
【図１１】
2008299371.tif 000013
【図１２】
2008299371.tif 000014
【図１３】
2008299371.tif 000015
【図１４】
2008299371.tif 000016
【図１５】
2008299371.tif 000017
【図１６】
2008299371.tif 000018
【図１７】
2008299371.tif 000019